(57)【特許請求の範囲】
【請求項１】
複数の本体部材と、本体部材同士の間に配置されて本体部材と接着される連結部材とを有し、連結部材によって複数の本体部材同士を連結して形成するものであり、連結部材には通電が可能であって通電によって加熱させることができる加熱部が設けられていることを特徴とするまくら木。
【請求項２】
複数の本体部材を有し、本体部材同士が接着によって連結されており、本体部材の連結部分には通電が可能であって通電によって加熱させることができる加熱部が配置されていることを特徴とするまくら木。
【請求項３】
連結部分には、本体部材と連結部材とを連通する貫通孔、又は、本体部材同士を連通する貫通孔が設けられており、前記貫通孔は加熱部を貫通するものであり、連結状態で棒状部材が挿入されるものであることを特徴とする請求項１又は２に記載のまくら木。
【請求項４】
棒状部材は、通電性のない材料が用いられていることを特徴とする請求項３に記載のまくら木。
【請求項５】
加熱部は、連結状態で他の部分に包まれていることを特徴とする請求項１〜４のいずれかに記載のまくら木。
【請求項６】
本体部材は長尺状であって、長尺方向の端部同士を連結するものであって、全体形状が長尺状であることを特徴とする請求項１〜５のいずれかに記載のまくら木。
【請求項７】
加熱部は板状であって、加熱部の板面は長尺方向に沿っていることを特徴とする請求項６に記載のまくら木。
【請求項８】
加熱部は導電性を有する繊維又は粉・粒状体が含まれている樹脂であることを特徴とする請求項１〜７のいずれかに記載のまくら木。
【請求項９】
加熱部にはカーボン繊維が含まれていることを特徴とする請求項８に記載のまくら木。
【請求項１０】
請求項１〜９のいずれかに記載のまくら木を製造するまくら木の製造方法であって、
本体部材同士を連結して連結部分に接着剤を塗布する工程と、加熱部に通電させて連結部分を加熱する工程とを有することを特徴とするまくら木の製造方法。
【請求項１１】
請求項３〜８のいずれかに記載のまくら木を製造するまくら木の製造方法であって、
本体部材同士を連結して連結部分に接着剤を塗布する工程と、加熱部を貫通する貫通孔に、通電性のある端子部材を挿入して、端子部材を用いて加熱部に通電させて連結部分を加熱する工程と、端子部材を取り外して棒状部材を挿入する工程とを有することを特徴とするまくら木の製造方法。
【発明の詳細な説明】
【技術分野】
【０００１】
本発明は、連結して形成することができるまくら木や、その製造方法に関するものである。
【背景技術】
【０００２】
一般に用いられるまくら木は長尺方向の長さが軌間より長い長尺状であり、レール方向に対して長尺方向をほぼ垂直に配置し、各まくら木は２本のレールと締結されている。
そして、レール上を列車が通過する場合には、両側の車輪から受ける力をそれぞれのレールを介して同じまくら木が受けている。
【０００３】
レールの分岐部などでは、通常の部分と比較して、幅広い範囲で線路が設置されるので、長いまくら木が用いられる。
しかし、長いまくら木は、通常のまくら木に対して重くなり、また扱いにくいので、分割することができ、敷設するときには連結することができるまくら木が用いられている。また、通常の長さのまくら木でも、分割することができるものであれば、搬送や配置作業を行いやすいので、連結して形成できるまくら木が用いられることがある。
このような、まくら木は、特許文献１、２などに記載されている。
【０００４】
【特許文献１】特開平７−２５９００２号公報
【特許文献２】特開平６−２４０６０１号公報
【発明の開示】
【発明が解決しようとする課題】
【０００５】
上記のまくら木を連結する場合、連結部分の強度を確保する必要がある。この方法として、接着剤を用いたり、連結される部分に連通する孔を形成し、この孔に埋め栓と呼ばれる棒状体や、ボルト状のものを挿通している。
【０００６】
接着剤を用いる場合、接着剤を塗布後、徐々に強度が大きくなるので、接着直後は高強度とすることが難しい。
まくら木の連結に使用される接着剤として、例えば、エポキシ系接着剤などが使用される。そして、接着剤が硬化して、強度が安定するまでの時間は、エポキシ系接着剤では数時間から一日位を要する。このような、接着剤の硬化は温度に影響されやすいが、このような連結は、線路が敷設されている野外で行われるので、気温が低い場合があり、かかる場合には十分な強度となるのに時間がかかる。そのため、まくら木を交換する場合などに、連結した状態で敷設が完了しても、長時間使用できないことになってしまう。
【０００７】
また、埋め栓やボルトなどによる補強は、最初から強度が高いが、孔開けなどの加工を必要とし、また、まくら木の材質に繊維補強された材料を用いた場合、連結部分の繊維を切断することになり、場合によっては強度を低下させるおそれがあり、必要最低限のものしか用いることができない。さらに、埋め栓やボルトなどを挿入できない部分にはこのような補強を行うことができない。
【０００８】
そして、接着剤をより早く硬化させることができれば、まくら木の連結部分を早く高強度とすることができるので、まくら木の連結部分を加熱することが考えられる。しかし、接着後に、外側からヒーターや温風などで加熱するのは、熱伝導の効率が悪く、連結部分の温度を上昇させにくいので時間短縮の効果が小さい。また、作業上、まくら木を分割した状態でレールの下に挿入した後に連結することになるので、レールやバラストなどが邪魔となって作業性が悪くなってしまう。さらに、外側から伝熱することになるので、内部についてはさらに温度を上昇させにくいものであった。
【０００９】
そこで、本発明は、分割した状態で搬送することができ、連結することにより形成することができ、接着剤が用いられて連結される場合にも、短時間で充分な強度とすることができるまくら木を提供することを課題とする。
【課題を解決するための手段】
【００１０】
そして、上記した目的を達成するための請求項１に記載の発明は、複数の本体部材と、本体部材同士の間に配置されて本体部材と接着される連結部材とを有し、連結部材によって複数の本体部材同士を連結して形成するものであり、連結部材には通電が可能であって通電によって加熱させることができる加熱部が設けられていることを特徴とするまくら木である。
【００１１】
請求項１に記載の発明によれば、複数の本体部材と、本体部材同士の間に配置される連結部材とを有して連結部材によって複数の本体部材同士を連結するものであり、連結部材の加熱部に通電させて加熱することができるので、連結部分で行われる接着に用いる接着剤の硬化を促進させることが可能となり、短時間で高強度とすることができる。
【００１２】
請求項２に記載の発明は、複数の本体部材を有し、本体部材同士が接着によって連結されており、本体部材の連結部分には通電が可能であって通電によって加熱させることができる加熱部が配置されていることを特徴とするまくら木である。
【００１３】
請求項２に記載の発明によれば、複数の本体部材が連結されるものであり、加熱部に通電させて加熱することができるので、連結部分で行われる接着に用いる接着剤の硬化を促進させることが可能となり、短時間で高強度とすることができる。
【００１４】
請求項３に記載の発明は、連結部分には、本体部材と連結部材とを連通する貫通孔、又は、本体部材同士を連通する貫通孔が設けられており、前記貫通孔は加熱部を貫通するものであり、連結状態で棒状部材が挿入されるものであることを特徴とする請求項１又は２に記載のまくら木である。
【００１５】
請求項３に記載の発明によれば、連結部分には、本体部材と連結部材とを連通する貫通孔、又は、本体部材同士を連通する貫通孔が設けられており、前記貫通孔は加熱部を貫通するものであり、連結状態で棒状部材が挿入されるものであるので、連結部分の補強材として加熱部を用いることができる。
【００１６】
請求項４に記載の発明は、棒状部材は、通電性のない材料が用いられていることを特徴とする請求項３に記載のまくら木である。
【００１７】
請求項４に記載の発明によれば、棒状部材は、通電性のない材料が用いられているので、加熱部を貫通する貫通孔に挿入されている棒状部材を介してなされる通電を阻止することができる。
【００１８】
請求項５に記載の発明は、加熱部は、連結状態で他の部分に包まれていることを特徴とする請求項１〜４のいずれかに記載のまくら木である。
【００１９】
請求項５に記載の発明によれば、加熱部は、連結状態で他の部分に包まれているので、露出することが無く、まくら木の外部での通電を阻止することができる。
【００２０】
請求項６に記載の発明は、本体部材は長尺状であって、長尺方向の端部同士を連結するものであって、全体形状が長尺状であることを特徴とする請求項１〜５のいずれかに記載のまくら木である。
【００２１】
請求項６に記載の発明によれば、本体部材は長尺状であって、長尺方向の端部同士を連結するものであって、全体形状が長尺状であるので、分割状態では短くしながら、連結時には長くすることができる。
【００２２】
請求項７に記載の発明は、加熱部は板状であって、加熱部の板面は長尺方向に沿っていることを特徴とする請求項６に記載のまくら木である。
【００２３】
請求項７に記載の発明によれば、加熱部は板状であって、加熱部の板面は長尺方向に沿っているので、加熱部による補強の効果を高くすることができる。
【００２４】
請求項８に記載の発明は、加熱部は導電性を有する繊維又は粉・粒状体が含まれている樹脂であることを特徴とする請求項１〜７のいずれかに記載のまくら木である。
【００２５】
請求項８に記載の発明によれば、加熱部は導電性を有する繊維又は粉・粒状体が含まれている樹脂であるので、加熱部を容易に製作することができる。
【００２６】
請求項９に記載の発明は、加熱部にはカーボン繊維が含まれていることを特徴とする請求項８に記載のまくら木である。
【００２７】
請求項９に記載の発明によれば、加熱部にはカーボン繊維が含まれているので、より強度を高くすることができる。
【００２８】
また、請求項１〜９のいずれかに記載のまくら木を、本体部材同士を連結して連結部分に接着剤を塗布する工程と、加熱部に通電させて連結部分を加熱する工程とによって製造することができる（請求項１０）。
【００２９】
さらに、請求項３〜８のいずれかに記載のまくら木を、本体部材同士を連結して連結部分に接着剤を塗布する工程と、加熱部を貫通する貫通孔に、通電性のある端子部材を挿入して、端子部材を用いて加熱部に通電させて連結部分を加熱する工程と、端子部材を取り外して棒状部材を挿入する工程とによって製造することができる（請求項１１）。
【発明の効果】
【００３０】
本発明のまくら木は、分割した状態で搬送することができ、連結することにより形成することができ、接着剤が用いられても、短時間で充分な強度とすることができる。
【発明を実施するための最良の形態】
【００３１】
以下さらに本発明の具体的実施例について説明する。
本発明の第１の実施形態のまくら木１は、図１、図２に示されるように、２個の本体部材１０と、本体部材１０同士の間に配置される連結部材１１とを有しており、連結部材１１によって２個の本体部材１０が連結されたものである。そして、連結部材１１は本体部材１０と接着剤により接着されるものである。
【００３２】
本体部材１０は、長尺状であって角棒状である。また、本体部材１０の連結は、本体部材１０の長尺方向Ｌの端部に位置する端面１９同士を向かい合わせるような状態で、それぞれの本体部材１０の長尺方向Ｌがほぼ同じ方向となるように連結されている。そして、本体部材１０同士が連結された状態のまくら木１の全体形状は長尺状である。
【００３３】
また、図２に示されるように、本体部材１０には、連結される部分に、貫通孔２０、２１が形成されている。貫通孔２０は厚み方向Ｔに貫通するものであり、貫通孔２１は幅方向Ｗに貫通するものである。そして、後述するように、貫通孔２０、２１には棒状部材４０、４１が挿入される。
【００３４】
連結部材１１は、図３に示されるように、板状の部材により形成されており、具体的には、天面板１１ａ、底面板１１ｂ及び側面板１１ｃ、１１ｄによって角筒状の部分を形成し、さらに、この角筒状の内側に板状の加熱部１２が配置されている。
また、連結部材１１の角筒状の部分は、両側が開口状となって開口部３６、３７が形成されており、それぞれの本体部材１０を挿入することができる。また、加熱部１２は、角筒状の内側の空間を仕切るように配置されており、図４、図５に示されるように、連結状態では、加熱部１２は本体部材１０の端面１９で挟まれている。
【００３５】
また、天面板１１ａ及び底面板１１ｂには、厚み方向Ｔに貫通する貫通孔３０、３２が形成されている。そして、本体部材１０の貫通孔２０と、連結部材１１の貫通孔３０、３２との長尺方向Ｌの位置が合わせられており、図４に示されるように、本体部材１０を連結部材１１に挿入した状態では、本体部材１０の貫通孔２０と、連結部材１１の貫通孔３０、３２が連通して、厚み方向Ｔに貫通する１つの貫通孔５０となり、棒状部材４０が挿入される。
【００３６】
側面板１１ｃ、１１ｄには、幅方向Ｗに貫通する貫通孔３１、３３が形成されている。そして、本体部材１０の貫通孔２１と、連結部材１１の貫通孔３１、３３とは、長尺方向Ｌの位置が合わせられており、図５に示されるように、本体部材１０を連結部材１１に挿入した状態では、本体部材１０の貫通孔２１と、連結部材１１の貫通孔３１、３３が連通して、幅方向Ｗに貫通する１つの貫通孔５１となり、棒状部材４１が挿入される。
【００３７】
本体部材１０の貫通孔２０、連結部材１１の貫通孔３０、３２の位置がずれたり、本体部材１０の貫通孔２１、連結部材１１の貫通孔３１、３３の位置がずれたりすると、貫通孔５０、５１がうまく形成されず、棒状部材４０、４１が挿入できない。そこで、本体部材１０と連結部材１１とを仮組みし、この仮組みの状態で穿孔して貫通孔５０、５１を形成することができ、かかる場合には、貫通孔５０、５１がずれないようにすることができる。
【００３８】
連結部材１１の加熱部１２は、通電が可能であって通電によって発熱させることができるものである。そのため、通電による発熱によって連結部分を温度上昇させることができる。
加熱部１２は電気を通しながら適度な電気抵抗を持つものである。具体的には、加熱部１２は、カーボンブラック、カーボン繊維、金属繊維や金属粉等の、導電性を有する繊維や粉・粒状体が含まれた樹脂が用いられている。そのため、導電率などの調整を添加量などで行うことができる。また、特に、カーボン繊維などの導電性繊維を用いた場合には、連結部材１１自体の補強を行うことができる。
なお、加熱部１２の材質は、他の材料を用いてもよい。
【００３９】
そして、加熱部１２は、本体部材１０の連結状態で他の部分に包まれている。具体的には、厚み方向Ｔには天面板１１ａと底面板１１ｂとにより、幅方向Ｗには側面板１１ｃ、１１ｄにより、長尺方向Ｌには本体部材１０により覆われており、外部に露出する部分がなく、まくら木１の外部で通電性を有する部分がない。そのため、まくら木１の表面で接触しても通電されることが無く、列車検知のための通電の妨げとなることがない。また、通電させて加熱する際に、加熱部１２から漏電しにくくすることができる。
【００４０】
また、本体部材１０や、連結部材１１の加熱部１２以外の部分や棒状部材４０、４１の材質は、特に限定されるものではないが、高強度で軽量な材料が望ましく、絶縁性を有して通電しない材料が望ましい。
本実施形態では、これらの部材には、連続繊維を有する長繊維強化樹脂が用いられており、繊維補強ポリウレタン発泡樹脂が用いられている。そして、本体部材１０や連結部材１１の加熱部１２以外の部分の繊維の配向方向は、長尺方向Ｌに向いており、長尺方向Ｌが湾曲する方向に力が作用した場合により強度とすることができる。
【００４１】
次に、まくら木１の製造方法について説明する。
まくら木１は、本体部材１０同士を連結部材１１によって連結して製造されるものであるが、本体部材１０の連結部分には接着剤が用いられており、本体部材１０と連結部材１１との間を接着している。
【００４２】
具体的には、本体部材１０を開口部３６、３７から連結部材１１の内側に挿入する。そして、本体部材１０が挿入される表面の部分と、連結部材１１の天面板１１ａ、底面板１１ｂ及び側面板１１ｃ、１１ｄの内側の間などに接着剤を配置する。この接着剤は、特に限定されるものではないが、本実施形態では、エポキシ系の接着剤が用いられており、直接塗布するなどして行われる。
【００４３】
なお、本体部材１０や連結部材１１を搬送する際に、連結部分が汚れたりすると、連結ができなくなったり、連結部分の強度を低下させるおそれがあるので、連結部分を覆うように袋などに入れておき、連結時にその袋を外して用いるようにすることができる。
また、接着剤を塗布する前には、連結部分のゴミや汚れなどを除いておく。
【００４４】
接着剤の硬化速度は温度によって変化し、低温ほど硬化速度が遅く、硬化して必要な強度が発現するまでの時間が長くなる。
しかしながら、本実施形態のまくら木１では加熱部１２が設けられているので、連結部分を高温とすることができ、より早く硬化させて短時間で必要な強度を発現させることができる。
【００４５】
なお、加熱部１２に通電する場合の方法については、特に限定されるものではないが、例えば、連結部材１１の角筒状の部分に孔を開けて、この孔に２本以上の端子部材を挿入して連結部材１１に接触させ、端子部材の間に電圧をかけることにより行うことができる。そして、接着剤を硬化させた後は、この端子部材をそのままの状態でまくら木１を使用しても良いが、端子部材を取り外して使用しても良い。さらに、端子部材を取り外して使用する場合には、端子部材を挿入した孔を塞いでも良い。
【００４６】
このように製造されたまくら木１は、長尺状であり、連結部材１１が設けられる部分は、他の部分よりも幅方向Ｗ及び厚み方向Ｔの長さが長く、この４面で突出している。したがって、まくら木１が敷設される場合に、道床抵抗をより大きくすることができる。
【００４７】
上記した第１の実施形態のまくら木１では、連結部材１１によって厚み方向Ｔの上側が突出することになる。そこで、図６、図７に示されるような、第２の実施形態のまくら木２のように、本体部材１０の連結部分の上側に、天面板１１ａの厚みに合わせられた切り欠き部２２を形成したものを用い、天面板１１ａの上側と、本体部材１０の上側の面とが同じ高さとなるようにしても良い。
そして、まくら木２では、図７（ｂ）に示されるように、上側に段が無く平面状となるので、使用時にレールとの締結を行いやすい。
【００４８】
また、上記したまくら木１、２では、連結部材１１を用いて本体部材１０同士を連結するものであったが、以下に示す実施形態のまくら木３、３ａ、４、５、６、７、８のように、本体部材１０の連結部分に加熱部１２を配置させ、連結部材１１を用いずに本体部材１０同士を連結しても良い。そして、まくら木３、３ａ、４、５、６、７、８では、本体部材１０の連結部分に加熱部１２が設けられており、本体部材１０同士が接着剤の接着によって連結されている。
【００４９】
第３の実施形態のまくら木３は、図８、図９に示されており、まくら木３には、長尺状の２本の本体部材１０が設けられている。
そして、一方の本体部材１０には、切り欠き部２５ａが形成された長尺部２５と、加熱部１２と、天面板１０ａを有している。また、他方の本体部材１０には、切り欠き部２５ａが形成された長尺部２５と、底面板１０ｂと、側面板１０ｃ、１０ｄとを有している。
【００５０】
切り欠き部２５ａは、長尺部２５の端部であって、本体部材１０同士が連結される位置に設けられ、厚み方向Ｔに貫通するものである。そして、一方の本体部材１０の切り欠き部２５ａに加熱部１２が配置されている。
【００５１】
天面板１０ａは、一方の本体部材１０の長尺部２５の端部の上側に配置されている。なお、天面板１０ａと長尺板２５の上面側は、ほぼ高さが同じであり、同一平面状となっている。
底面板１０ｂと、側面板１０ｃ、１０ｄは、他方の長尺部２５の端部であって、それぞれ、下側、幅方向Ｗの両側に配置されている。
【００５２】
加熱部１２は、板状であり、上記した実施形態のものと同様に、通電が可能な材質であって通電により加熱が可能なものである。また、加熱部１２の板面は、長尺方向Ｌに向いている。
そして、本体部材１０同士が連結すると、他方の本体部材１０の切り欠き部２５ａに挿入され、本体部材１０の長尺部２５の端面１９同士が当接した状態となる。
また、一方の本体部材１０の天面板１０ａと、他方の本体部材１０の底面板１０ｂと、側面板１０ｃ、１０ｄによって、連結部分が囲まれた状態となり、加熱部１２は包まれた状態となっている。
【００５３】
そして、まくら木３では、本体部材１０同士が接触する部分に接着剤を配置して、加熱部１２によって加熱するなどして固化させて本体部材１０同士を連結する。
【００５４】
また、本実施形態のまくら木３においても、棒状部材４０、４１が設けられ、厚み方向Ｔや幅方向Ｗに挿入されて補強が行われている。
そして、まくら木３では、２本の本体部材１０に、厚み方向Ｔに貫通する貫通孔２０や、幅方向Ｗに貫通する貫通孔２１が形成されており、連結状態で、厚み方向Ｔや幅方向Ｗに貫通する貫通孔５０、５１が形成される。また、まくら木３では、幅方向Ｗに貫通する貫通孔５１が、加熱部１２を貫通するので、これを利用して通電を容易に行うことができる。
【００５５】
具体的には、本体部材１０の連結部分に接着剤を塗布した状態で連結し、厚み方向Ｔに貫通する貫通孔５０の全てと、幅方向Ｗに貫通する貫通孔５１の内、２ヵ所を除くものに、棒状部材４０、４１を挿入する。そして、棒状部材４１を挿入しない残りの２ヵ所の貫通孔５１に、通電性のある端子部材を挿入し、この端子部材を加熱部材１２に接触させる。
そうすると、端子部材同士の間に電圧をかけることにより、加熱部１２に通電させることができ、加熱部１２の温度が上昇して、連結部分の温度を上昇させることができる。
その後、端子部材を引き抜いて取り外し、棒状部材４１を挿入してまくら木３の連結が完了する。なお、端子部材を棒状部材４１と兼用することも可能であるが、棒状部材４１を通電性のない絶縁性を有する材質として、まくら木３の外部で通電しないようにすることができる。
【００５６】
このように、棒状部材４０、４１が挿入される貫通孔５０、５１を利用して、加熱部１２の通電を行うことができ、かかる場合には、容易に加熱部１２の通電を行うことができる。
【００５７】
また、図１０に示すまくら木３ａのように、側面板１０ｃ、１０ｄの内側に、加熱部１２ａを配置することもできる。
【００５８】
そして、第４の実施形態のまくら木４は、図１１、図１２に示されている。まくら木４は、本体部材１０同士を連結するものである。そして、一方の本体部材１０に加熱部１２が取り付けられており、また、他方の本体部材１０には、天面板１０ａと底面板１０ｂとが取り付けられている。
なお、まくら木４には、第３の実施形態のまくら木３に設けられている側面板１０ｃ、１０ｄは無く、連結された状態で比較すると側面板１０ｃ、１０ｄ以外の部分は同じである。
【００５９】
そして、まくら木４においても、この加熱部１２によって連結部分を高温にすることができ、接着剤の硬化を促進することができる。
また、棒状部材４１が挿入される貫通孔５１を利用して、加熱部１２の通電を行うことができ、容易に加熱部１２の通電を行うことができる。
【００６０】
第５の実施形態のまくら木５は、図１３、図１４に示されている。まくら木５は、本体部材１０同士を連結するものである。そして、一方の本体部材１０に加熱部１２が取り付けられており、また、他方の本体部材１０には、天面板１０ａが取り付けられている。
したがって、まくら木５は、第４の実施形態のまくら木４と比較して、底面板１０ｂが設けられていない点が異なる。また、加熱部１２が配置されたり、挿入される切り欠き部２５ａは、厚み方向Ｔに貫通しておらず、連結状態で加熱部１２の下側が露出しないものである。
【００６１】
そして、まくら木５においても、この加熱部１２によって連結部分を高温にすることができ、接着剤の硬化を促進することができる。
また、棒状部材４１が挿入される貫通孔５１を利用して、加熱部１２の通電を行うことができ、容易に加熱部１２の通電を行うことができる。
【００６２】
また、第６、第７の実施形態のまくら木６、７では、連結される本体部材１０のそれぞれに加熱部１２が有しているものである。
【００６３】
第６の実施形態のまくら木６は、図１５、図１６に示されている。まくら木６は、本体部材１０同士を連結するものである。そして、一方の本体部材１０に天面板１０ａと加熱部１２とが取り付けられており、また、他方の本体部材１０には、底面板１０ｂと加熱部１２が取り付けられている。
【００６４】
また、本体部材１０の長尺部２５に設けられる切り欠き部２５ａの幅は、加熱部１２の幅の約２倍である。そして、分割状態では、それぞれの加熱部１２は、それぞれの本体部材１０の切り欠き部２５ａに配置される。また、連結状態では、それぞれの本体部材１０の切り欠き部２５ａに２個の加熱部１２が配置される。
【００６５】
そして、まくら木６においても、この加熱部１２によって連結部分を高温にすることができ、接着剤の硬化を促進することができる。
また、棒状部材４１が挿入される貫通孔５１を利用して、加熱部１２の通電を行うことができ、容易に加熱部１２の通電を行うことができる。
【００６６】
第７の実施形態のまくら木７は、図１７、図１８に示されている。まくら木７は、本体部材１０同士を連結するものである。そして、一方の本体部材１０に天面板１０ａと加熱部１２とが取り付けられており、また、他方の本体部材１０には、底面板１０ｂと加熱部１２が取り付けられている。
【００６７】
また、本体部材１０の長尺部２５には、それぞれ２ヵ所の切り欠き部２５ａが設けられている。そして、加熱部１２は２ヵ所の切り欠き部２５ａの一方に配置され、他方は、連結される相手の加熱部１２が挿入される。
【００６８】
そして、まくら木７においても、この加熱部１２によって連結部分を高温にすることができ、接着剤の硬化を促進することができる。
また、棒状部材４１が挿入される貫通孔５１を利用して、加熱部１２の通電を行うことができ、容易に加熱部１２の通電を行うことができる。
【００６９】
第８の実施形態のまくら木８は、図１９、図２０に示されている。まくら木８は、本体部材１０同士を連結するものである。そして、一方の本体部材１０に天面板１０ａと加熱部１２とが取り付けられており、また、他方の本体部材１０には、底面板１０ｂと側面板１０ｃ、１０ｄが取り付けられている。
【００７０】
また、まくら木８では本体部材１０の長尺部２５の端面１９の部分は段状となっており、厚み方向Ｔの位置によって、長尺方向Ｌの長さが違っており、それぞれの本体部材１０の端面１９部分は互いに合う形状となっている。そして、本体部材１０が連結すると、かかる部分が密着する。
【００７１】
そして、まくら木８においても、この加熱部１２によって連結部分を高温にすることができ、接着剤の硬化を促進することができる。
また、棒状部材４１が挿入される貫通孔５１を利用して、加熱部１２の通電を行うことができ、容易に加熱部１２の通電を行うことができる。
さらに、長尺部２５の端面１９は段状であるので、まくら木８を長尺方向が湾曲する方向に力が作用した場合にも高強度とすることができる。
【００７２】
なお、上記した実施形態では、２個の本体部材１０を連結するものであったが、３個以上の本体部材１０を用いて連結し、この連結部分の接着を加熱部１２による発熱による加熱によって促進させることができる。そして、長尺方向Ｌに、３個以上の本体部材１０を連結した場合には、連結によってより長くすることができる。
【図面の簡単な説明】
【００７３】
【図１】本発明の第１の実施形態のまくら木の斜視図である。
【図２】図１に示すまくら木の分解斜視図である。
【図３】図１のまくら木の連結部材の斜視図である。
【図４】図１のまくら木の連結部分を側面から見た一部拡大図である。
【図５】図１のまくら木の連結部分を上から見た一部拡大図である。
【図６】本発明の第２の実施形態のまくら木の連結部分を示した斜視図である。
【図７】図６に示すまくら木の連結部分を示した図であり、（ａ）は上から見た一部拡大図、（ｂ）は側面から見た一部拡大図、（ｃ）は正面から見た拡大図である。
【図８】本発明の第３の実施形態のまくら木の連結部分を示した斜視図である。
【図９】図８に示すまくら木の連結部分を示した図であり、（ａ）は上から見た一部拡大図、（ｂ）は側面から見た一部拡大図、（ｃ）は正面から見た拡大図である。
【図１０】本発明の変形例を示した正面から見た拡大図である。
【図１１】本発明の第４の実施形態のまくら木の連結部分を示した斜視図である。
【図１２】図１１に示すまくら木の連結部分を示した図であり、（ａ）は上から見た一部拡大図、（ｂ）は側面から見た一部拡大図、（ｃ）は正面から見た拡大図である。
【図１３】本発明の第５の実施形態のまくら木の連結部分を示した斜視図である。
【図１４】図１３に示すまくら木の連結部分を示した図であり、（ａ）は上から見た一部拡大図、（ｂ）は側面から見た一部拡大図、（ｃ）は正面から見た拡大図である。
【図１５】本発明の第６の実施形態のまくら木の連結部分を示した斜視図である。
【図１６】図１５に示すまくら木の連結部分を示した図であり、（ａ）は上から見た一部拡大図、（ｂ）は側面から見た一部拡大図、（ｃ）は正面から見た拡大図である。
【図１７】本発明の第７の実施形態のまくら木の連結部分を示した斜視図である。
【図１８】図１７に示すまくら木の連結部分を示した図であり、（ａ）は上から見た一部拡大図、（ｂ）は側面から見た一部拡大図、（ｃ）は正面から見た拡大図である。
【図１９】本発明の第８の実施形態のまくら木の連結部分を示した斜視図である。
【図２０】図１９に示すまくら木の連結部分を示した図であり、（ａ）は上から見た一部拡大図、（ｂ）は側面から見た一部拡大図、（ｃ）は正面から見た拡大図である。
【符号の説明】
【００７４】
１、２、３、３ａ、４、５、６、７、８  まくら木
１０  本体部材
１１  連結部材
１２  加熱部
２０、２１  貫通孔
３０、３１、３２、３３  貫通孔
４０、４１  棒状部材
５０、５１  貫通孔
【図１】
0004668832.tif 000002
【図２】
0004668832.tif 000003
【図３】
0004668832.tif 000004
【図４】
0004668832.tif 000005
【図５】
0004668832.tif 000006
【図６】
0004668832.tif 000007
【図７】
0004668832.tif 000008
【図８】
0004668832.tif 000009
【図９】
0004668832.tif 000010
【図１０】
0004668832.tif 000011
【図１１】
0004668832.tif 000012
【図１２】
0004668832.tif 000013
【図１３】
0004668832.tif 000014
【図１４】
0004668832.tif 000015
【図１５】
0004668832.tif 000016
【図１６】
0004668832.tif 000017
【図１７】
0004668832.tif 000018
【図１８】
0004668832.tif 000019
【図１９】
0004668832.tif 000020
【図２０】
0004668832.tif 000021